Podtech/llm-jp-corpus-v4-ja_patent huggingface dataset:
(57)【要約】      （修正有）【課題】創作した人が自分の創作であることを第三者に明確にする為に、郵便制度を利用した著作権証明用の新しい簡易書簡を提供する。【解決手段】一枚毎に連続番号とそのバーコードが打たれた新しいスタイルの簡易書簡の裏側に、創作のコピーをし知人等に郵送する。受取り人は開封するときに署名をするなど著作権の証明に役立つことを特徴としている。【選択図】図１
0003133568.tif 000002
【実用新案登録請求の範囲】
【請求項１】
簡易書簡の表側（１）の切取り用ミシン目（３）には連続番号とそのバーコードが、表面裏側（４）には日付入りの署名ができる枠が有り、創作のコピーがしてある裏面（５）を確認した人は（６）に日付入りの署名をする枠が設けてある簡易書簡。
【考案の詳細な説明】
【技術分野】
【０００１】  本考案は、著作者が自分の創作であることを第三者に明確にするために、郵便制度を利用して著作権の証明をする簡易書簡に関するものである。
【背景技術】
【０００２】  従来より創作の証明をする方法は文化庁や民間の著作権団体に登録するなど種々あり、いろいろな分野の人にそれぞれの方法で利用されているが、多くの無名の人、とりわけ子供にとって、それらは簡便な方法でもなく、また頻繁に利用するには費用もかさみ、気軽に利用しずらい面がある。
【考案の開示】
【考案が解決しようとする課題】
【０００３】  郵便制度は著作権の確認のために作られたものではないので、創作の証明として利用するには、今のところ便利さや費用等の面で満足できる状態ではない。しかし、この新しい簡易書簡を使用すれば子供にとっても容易に実行でき、低廉な費用で、安全確実に自分の創作であることを証明するために郵便制度を活用することができる。
【課題を解決するための手段】
【０００４】  一般に航空書簡とか郵便書簡と呼ばれている官製の手紙用紙があるが、それをそのまま利用しても著作権の証明には適さない。そこで次のように全く新しいスタイルの簡易書簡を創作した。それは丁度お年玉はがきのように、一枚毎に連続番号とそのバーコードが打ってあり、また両端には切取り用のミシン目があって、そのミシン目に沿って切開く時に切取る人が日付入りの署名をする。そうすることで切取られた後の耳の部分は割符の役目をする。次に同封または別に手渡された簡易書簡のコピーと簡易書簡の本文を検証する。このとき本文のみならず連続番号を確認する。簡易書簡とコピーとが同一のものであることがわかれば、簡易書簡を全開することなくそのコピーを見るだけで、簡易書簡に書かれた内容を容易に確認することができる。このことは簡易書簡を白紙の状態で郵送し、受取った後コピーすることを防ぐことにも役立つ。その為にも全開はしない。
【考案の効果】
【０００５】簡易書簡の中身と別紙のコピーとが同一のものであることを、  連続番号及びそのコピーから照合出来れば、簡易書簡を全面的に開封して中身を一々検証することなく、コピーを見るだけで簡易書簡の内容が容易に確認できる。その上、簡易書簡を完全には開封していないので、白紙の状態で送られた簡易書簡を受取った後にコピーすることも防ぐことが出来る。その為にも糊付け部分は原則として開かない。【０００６】  誰にでも低廉な費用で容易に、しかも確実に、自分の劇作であることを第三者に証明できる。
【考案を実施するための最良の形態】
【０００７】  この簡易書簡は、一枚毎に連続番号及びそのバーコードが打ってあり、表面表側の耳にはその連続番号とバーコードが、表面裏側には日付入り受取人の署名が出来る枠がある。両方の耳は切取りが容易なようにミシン目を入れる。表面表側には切手及びあて先欄が、表面裏側には差出入及びこの書簡の内容を確認した人が日付け入りの署名をする部分が印刷してある。裏面には創作のコピーをするので、耳の近くの端の部分にそれぞれ連続番号とバーコードが印刷されている。尚、内側を閉じる糊しろの部分、及びミシン目の部分も含めた外側の三方を閉じる為の糊しろの部分には、予め精を塗布しておくことが望ましい。その場合、塗布した糊の部分には上から薄い皮膜状のシールを貼付け、コピー機に好ましくない影響を与えないように配慮しなければならない。
次に本考案の使用法を説明する。
（イ）  創作した文章や絵、図形などを簡易書簡の裏面にコピーする。その場合、サイ        ズに合せて縮小または拡大してもよい。
（ロ）  一枚に５名まで連署できるが、５人以上の署名があるほうが望ましいので、簡        易書簡は２通以上用意する。
（ハ）  確認を容易にする為に簡易書簡のコピーを人数分作る。
（ニ）  （ハ）で作ったコピーをそれぞれの簡易書簡に同封して郵送する。場合により        手渡しする。
（ホ）  受取人は開封する前にミシン目に沿って日付入りの署名をする。
（ヘ）  両端をミシン目に沿って切開き、中とコピーとを確認した後、表面裏側に日付        入り署名をする。このとき簡易書簡は全開しない。
（ト）  差出人に返却する。
以上のように記すと大変面倒で時間もかかるように考えられるが、例えば学校の友達に協力してもらえれば、容易にしかも短時間で済む。
【実施例】
【０００８】  大多数の一般人にとって、その人の創作であることを証明する簡単で確実、しかも廉価に出来る方法は今まで無かった。
【産業上の利用可能性】
【０００９】  お年玉はがきのように連続番号が打ってある郵便物も、簡易書簡や航空書簡も既によく知られている。またコピーをすることも日常茶飯事となっている。それらを組み合わせて創作の証明に寄与するこの簡易書簡は産業上十分に利用可能である。
【図面の簡単な説明】
【００１０】
【図１】  本考案の表面表側及び裏側。
【図２】  本考案の裏面。
【図３】  本考案の使用状態を示す図。
【符号の説明】
【００１１】  １  表面表側（あて先記入）
２  表面裏側（差出人記入）
３  切取り用ミシン目及び連続番号とそのバーコード
４  切取り用ミシン目及び受取人日付入り署名枠
５  裏面（創作のコピー用紙）
６  確認者日付入り署名枠
７  内とじ用糊しろ部分
８  外とじ用糊しろ部分
【図１】
0003133568.tif 000003
【図２】
0003133568.tif 000004
【図３】
0003133568.tif 000005
(57)【要約】      （修正有）【課題】超小型手動式発電装置を内蔵した家庭用１００Ｖコンセント差し込み型携帯電話機用充電器。【解決手段】遭難や災害時において、通常の電源供給が確保できない状況下におかれた場合、または突然のバッテリィーの切断に遭遇した場合において、携帯電話機の充電器に付帯してある発電機を手動操作によってハンドルを回転させ、携帯電話機のバッテリィーへ電力を供給し、携帯電話機の使用を可能にする。【選択図】図１
0003133561.tif 000002
【実用新案登録請求の範囲】
【請求項１】
従来の携帯電話機用充電器の内部に手動式の超小型発電装置を取り付け、電源供給を得ることの出来ない緊急時に、手動によって発電した電力を携帯電話機のバッテリィーへ供給する充電器。
【考案の詳細な説明】
【考案の詳細な発明】
【考案が解決しょうとする課題】
【０００１】  携帯電話機は従来の携帯電話機用充電器を使用して、あくまでも家庭用電源より電力の供給を受けなければならない。また電池を利用する充電器があるが、常備して持ち歩く訳には容易ではなく、電池が切れている場合もある。携帯電話機のバッテリィーが消耗し、通常の電源供給が得られずに携帯電話機の使用が出来ないという問題を有していた。
【問題を解決するための手段】
【０００２】  上記の問題点を解決するために、携帯電話機用充電器内部に取り付けた超小型発電装置を手動操作により発電し、その電力を携帯電話機のバッテリィーへ供給するものである。
【考案の効果】
【０００３】  遭難や災害時において、通常の電源供給が確保できない状況下にある場合、手動操作によってハンドルを回転させることにより発電し、その電力を携帯電話機のバッテリィーへ供給し、携帯電話機の使用を可能にするものである。また、残量電力の確認を怠って、突然のバッテリィー切れに遭遇した場合も同様の効果を得ることが出来る。
【図面の簡単な説明】
【図１】  携帯電話機用充電器に内蔵された超小型発電装置を手動による回転操作をするための、充電器本体に折りたたんで収納するハンドルを折り返している状態の斜視図である。
【符号の説明】
１    ＡＣアダプター部
２    ＡＣプラグ（折りたたみ収納）
３    超小型手動式発電機内蔵部
４    発電用手動ハンドル（折りたたみ収納）
５    手動ハンドルツマミ部収納溝
【図１】
0003133561.tif 000003
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
携帯電話機用充電器の内部に手動式の超小型発電装置を取り付け、電源供給を得ることの出来ない緊急時に、手動によって発電した電力を携帯電話機のバッテリィーへ供給する充電器。
(57)【要約】      （修正有）【課題】ブックカバー本体にＩＣカードケースを貼り付けて、読書愛好者の公共交通機関利用をスムーズにする。【解決手段】ブックカバー本体ｂにＩＣカードケースｄを貼り付けて、本と一緒にＩＣカードを携帯できるようにし、ＩＣカード化される公共交通機関の利用をスムーズにするためのものである。特に、読書愛好者は、このブックカバーを使用することにより、乗り換え時の煩わしさから解放され、少しでも長い時間本に触れていることができ、公共交通機関の利用が楽しくなる。【選択図】図１
0003133567.tif 000002
【実用新案登録請求の範囲】
【請求項１】
ブックカバー本体にＩＣカードケースを取り付け、当該ＩＣカードケースにＩＣカード化された定期券などを挿入できるようにしたところを特徴とするブックカバー
【考案の詳細な説明】
【技術分野】
【０００１】  本考案は、ブックカバーにＩＣカードケースを取り付けた、ブックカバーに関するものである。
【背景技術】
【０００２】  読書を好む人達が、通勤等において公共の交通機関を利用して移動する際、乗り換え時や改札通過時に、本を鞄にしまい、代わりに定期入れや財布などを出して乗り降りをしていた。また、今後は一部の交通機関だけでなく地下鉄やバスなど、多くの交通機関でＩＣカード化された定期券や電子マネーの利用が可能になる。
【考案の開示】
【考案が解決しようとする課題】
【０００３】  読書を好む人達が、通勤等において、本を鞄にしまい、代わりに定期を鞄や服から出して乗り換えや改札を通過するという煩わしさを解消しようというものである。
【課題を解決するための手段】
【０００４】  ブックカバー本体にＩＣカードケースを取り付け、当該ＩＣカードケースにＩＣカード化された定期券などを挿入しできるようにすることで、本をしまい定期入れを出す煩わしい動作を解消できる。
【考案の効果】
【０００５】  上述のように、本考案のＩＣカードケース付きブックカバーは、ブックカバー本体にＩＣカード化された定期券などを挿入することにより、乗換えや改札の通過をよりスムーズに行うことができる。また、様々な交通機関でＩＣカード型の定期券等が利用されることにより、読書家たちが定期入れと本の両方を手に持ち歩かなければいけない煩わしさを解消するものである。さらに少しでも本に接している時間が増え、読書家たちにはわずかでもその時間を保障することができる。
【考案を実施するための最良の形態】
【０００６】  ブックカバーの本体表面の片側に、ＩＣカードが入るケースを張り合わせる。ＩＣカード化された定期券などは、ケースからの出し入れの手間が少なくなるので、出し入れの利便性を考慮するより、安全面からカードがぎりぎり挿入できる程度の大きさでデザインする。
【実施例】
【０００７】  以下、添付図面に従って一実施例を説明する。図１は完成されたＩＣカードケース付きブックカバー（文庫本用）に、文庫本を入れた完成図である。図２はブックカバーに装着するＩＣカードケースの部分である。図３は図１を閉じた状態の完成図である。
図４は１枚分のＩＣカードケースのサイズを明記した図である。図５はブックカバーを装着した状態で裏表紙を広げた図で、その裏表紙にＩＣカードを１枚だけ装着する場合の１案が図６である。【０００８】  図２はＩＣカードを２枚挿入できるようにデザインされたカードケース部分（ｄ）である。大きさを文庫版にする場合には、この図のように２枚挿入できるようにして、カード入れ（ｅ）に挟まれた部分（ｆ）を、ブックカバーのベルト留めに利用できるようにすると都合良く、デザイン的にも機能的にも納まりが良い。
図１のように文庫本（ａ）を装着し、本自体の厚さによって余ったブックカバーの部分（ｂ）を本体にかぶせるように折り返すと図３のようになり、ベルト（ｃ）によって本とカードを保護することが可能になる。
１枚のカードに必要なケース（ｄ’）のサイズは図４に記入されているサイズがちょうど良い。カードの出し入れの際に（ｇ）（ｈ）の切り込みを利用してカードをスライドさせることができる。
ＩＣカードケースをカバーの裏側に装着する場合は、カードケースを１枚（ｄ’）にし、図５の本の裏表紙を固定する袋部分（ｊ）に図６のように貼り付ける。本の表紙側は、袋状にせず、固定バンド（ｉ）によって本を固定する。【０００９】  ＩＣカードケースの装着方法については一例であり、必ずしも図のような位置が適当であるとは言い切れない。本を右手に持つか、左手に持つかによっても使い勝手は変化しうるし、本を閉じるときに、右側を左側に合わせるように閉じるのか、左側を右側に合わせるように閉じるのかによってもまた変わってくるからである。
【図面の簡単な説明】
【００１０】
【図１】本考案のＩＣカードケース付きブックカバーに文庫本を装着した状態の図。
【図２】ブックカバーに貼り付ける、文庫本用２枚型のＩＣカードケース。
【図３】本考案のＩＣカードケース付きブックカバーに文庫本を装着し閉じた図。
【図４】本考案のＩＣカードケース１枚分のサイズを明記したカードケースの図。
【図５】ブックカバーを装着し、裏表紙を開いたときの図。
【図６】ブックカバーの裏表紙に、ＩＣカードケース１枚型を貼り付けた図。
【符号の説明】
【００１１】  ａ  本
ｂ  本自体の厚さによって余ったブックカバーの部分
ｃ  本とＩＣカードを保護するにも役立つ、ブックカバーの留め具となるベルト部分
ｄ  ＩＣカードケース２枚型（文庫本用）
ｅ  ＩＣカード挿入口
ｆ  ブックカバーのベルト通し穴
ｇ  ＩＣカード出すときに、ＩＣカードをスライドさせ押し出すための穴
ｈ  ＩＣカードを指で引き出すための切り込み
ｉ  本の表紙側を固定するブックバンド
ｊ  本の裏表紙側を固定する袋状のブックカバーの端
【図１】
0003133567.tif 000003
【図２】
0003133567.tif 000004
【図３】
0003133567.tif 000005
【図４】
0003133567.tif 000006
【図５】
0003133567.tif 000007
【図６】
0003133567.tif 000008
(57)【要約】【課題】  この考案は、ヘアバンドの先端部に穴を設け、それにゴム輪や紐を取り付けてネッカチーフを固定するネッカチーフ固定用具である。【解決手段】  ヘアバンド先端部に穴を設け、ネッカチーフ固定用のゴム輪や紐を取り付けたネッカチーフ固定用ヘアバンド。【選択図】図１
0003133566.tif 000002
【実用新案登録請求の範囲】
【請求項１】
ヘアバンド先端部に穴を設け、ネッカチーフ固定用のゴム輪を取り付けた、ネッカチーフ固定用ヘアバンド。
【請求項２】
前記、固定用のゴム輪を紐にした、ネッカチーフ固定用ヘアバンド。
【考案の詳細な説明】
【技術分野】
【０００１】  ヘアバンドの先端部に穴を設け、それにゴム輪や紐を取り付けてネッカチーフを固定するネッカチーフ固定用具である。
【背景技術】
【０００２】  従来、ヘアバンドは整えた髪を押さえ、髪飾りとしてヘアバンド自体を装飾品として使用していた。
【考案の開示】
【考案が解決しようとする課題】
【０００３】  この為、ネッカチーフ等を巻き付けて使用する様な構造のヘアバンドは無かった、これらを使用した時ネッカチーフがずれたりしていた、本考案はこれらの問題点を解決したものである。
【課題を解決するための手段】
【０００４】  ヘアバンド先端部に穴をあけて、ネッカチーフ固定用のゴム輪や紐を取り付けたネッカチーフ固定用ヘアバンドである。
【考案の効果】
【０００５】  これにより、ネッカチーフ等をヘアバンドに巻きつけたり包んだりして使用でき、数々のヘアスタイルを作り美容効果を高めることが出来る様になった。
【考案を実施するための最良の形態】
【０００６】  本考案は、ヘアバンド（１）端部に設けた穴（３）に、ゴム輪又は紐（４）を取り付け、ヘアバンド（１）にネッカチーフ（２）等を巻き付け、その端部をゴム輪の中に通して固定したり紐で結んだりして固定させて使用する。
このヘアバンドは、種類や模様の豊富なネッカチーフ等を、簡単に固定することが出来る為、数々のヘアスタイルを創造し作り出すことが出来る。
【図面の簡単な説明】
【０００７】
【図１】本考案の装着図
【図２】本考案の斜視図
【図３】本考案のゴム輪使用説明図
【図４】本考案の紐使用説明図
【符号の説明】
【０００８】  １はヘアバンド
２はネッカチーフ
３は穴
４はゴム輪
５は紐
【図１】
0003133566.tif 000003
【図２】
0003133566.tif 000004
【図３】
0003133566.tif 000005
【図４】
0003133566.tif 000006
【手続補正書】
【提出日】平成19年5月15日(2007.5.15)
【手続補正１】
【補正対象書類名】実用新案登録請求の範囲
【補正対象項目名】請求項２
【補正方法】変更
【補正の内容】
【請求項２】
前記ゴム輪に代えて紐を前記穴に取り付けた請求項１記載のネッカチーフ固定用ヘアバンド。
(57)【要約】      （修正有）【課題】足裏刺激において、足裏表面への接触部分から伝達される押圧の加わる方向を多方向から加えることにより、より高いマッサージ効果が得られるマッサージ器を提供する。【解決手段】球体受部の表面を凸形状・裏面を凹形状に形成する。球体受部上に球体ｂを置き、足裏で球体を自由自在の方向に移動させる（上下・左右・斜・円等）と、どの角度からも刺激を加えることができるため、足裏表面ｃへの接触部分から伝達される押圧の生じ得る方向と強弱の変化によって、より高いマッサージ効果をあげることを可能にした。【選択図】図３
0003133570.tif 000002
【実用新案登録請求の範囲】
球体受部の表面部分を凹形状に裏面部分を凸形状に形成し、球体との組み合わせで構成された足裏マッサージ器である。
【考案の詳細な説明】
【技術分野】
【０００１】この発明は、球体受部の表面を凸形状に裏面を凹形状に形成し、球体が移動する時の足裏表面との接触部分から伝達される押圧の生じ得る方向と強弱の変化によって、より高いマッサージ効果をあげる足裏マッサージ器に関するものである。
【背景技術】
【０００２】従来の足裏マッサージ器は、球体受部を平面的に捉えるか、球体を囲む円形の外枠で構成し、球体を固定したマッサージ器であった。そのため、伝達される仕組みである接触角度や回転する方向を工夫したものは見当たらなかった。
【発明が解決しようとする課題】
【０００３】そのために、球体を移動させる時に接触部分から伝達される押圧方向や強弱に限界があった。その結果、マッサージ効果の質の幅が狭かった。
【発明が解決するための手段】
【０００４】球体受部を凹形状・凸形状にすることによって、球体受部上を球体が回転する時の足裏表面への接触部分から伝達される押圧の生じ得る方向と強弱の変化が多様化する。
【発明の効果】
【０００５】この発明は、足裏で球体を自由自在に移動させるだけで、足裏表面への接触部分から伝達される押圧の生じ得る方向と強弱の変化によって、より高いマッサージ効果が得られる。
【図面の簡単な説明】
【０００６】
【図１】本発明の凸形状の側面図
【図２】本発明の凸形状の斜視図
【図３】本発明の凸形状の使用状態を示す側面図
【図４】本発明の凹形状の側面図
【図５】本発明の凹形状の斜視図
【図６】本発明の凹形状の使用状態を示す側面図
【符号の説明】
【０００７】ａ  凸球体受部
ｂ  球体
ｃ  足裏表面
ｄ  凹球体受部
【図１】
0003133570.tif 000003
【図３】
0003133570.tif 000004
【図４】
0003133570.tif 000005
【図６】
0003133570.tif 000006
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
球体受部の表面部分を凹形状に裏面部分を凸形状に形成し、球体との組み合わせで構成された足裏マッサージ器である。
【手続補正２】
【補正対象書類名】図面
【補正対象項目名】全図
【補正方法】変更
【補正の内容】
【図１】
0003133570.tif 000007
【図２】
0003133570.tif 000008
【図３】
0003133570.tif 000009
【図４】
0003133570.tif 000010
【図５】
0003133570.tif 000011
【図６】
0003133570.tif 000012
(57)【要約】      （修正有）【課題】ミトン防寒型手袋のかさばった形状に起因する非作業性、非密着性という課題とサーモグラフィにも表されるように手全体で血流が最も滞る部分は４指の指先であるから４指を集中的に保温する。【解決手段】親指を除く４指には保温効果のために厚手の被覆生地を用いカイロ収納部２を設け、手の平部と親指部には作業効果と密着効果を得るために薄手の伸縮性被覆生地を用い、厚手と伸縮性薄手の２種類の被覆生地から形成されるミトン型防寒手袋にする。【選択図】図１
0003133543.tif 000002
【実用新案登録請求の範囲】
【請求項１】
手の平と親指を除くところの人差し指、中指、小指の４指部がカイロ収納部を設けた厚手の被覆生地で形成され、親指部と手の平部が薄手の伸縮性被覆生地で形成されて一体と成るミトン型防寒手袋。
【考案の詳細な説明】
【技術分野】
【０００１】本考案はミトン型防寒手袋に関する
【背景技術】
【０００２】ミトン型防寒手袋の背景技術は袋状で親指挿入部と４指挿入部の２部に分けて構成され手全体を覆うものが知られている。
【考案の開示】
【考案が解決しようとする課題】
【０００３】従来のミトン型防寒手袋のかさばった形状に起因する非作業性、非密着性という欠点を解決することと、サーモグラフィにも表されるように手全体で血流が最も滞る部分は４指の指先であるから、４指を集中的に保温することを課題とする。
【課題を解決するための手段】
【０００４】そこで本考案において従来の課題を解決するために親指を除く４指の保温効果、手の平部と親指部には作業効果と密着効果を得るために厚手と薄手の２種類の被覆生地を用いることによって上記課題を解決しようとする。
【考案を実施するための最良の形態】
【０００５】以下、この考案の実施の形態を図面を参照して説明する【０００６】手の平と親指を含まない４指は特別に血流が行き届かない部分である。そこで図１ー１に示すように４指部は厚手の被覆生地を用い、その中に使い捨てカイロ収納部を設ける。【０００７】図１−３に示すように手の平部分と親指の部分は薄手の伸縮部材を用いて素手上や５指用手袋にぴったりと密着させ作業性を向上させる。
【考案の効果】
【０００８】本考案に係るミトン型防寒手袋は、ミトンの被覆生地を異にすることによって保温部分と開放部分という違った機能を持たせることが可能にする。冬季の屋内外におけるスポーツや作業、自転車やバイク走行後等あらゆる場面で最も凍えた指先を短時間で集中的に温め、素手や手袋に安定して密着し作業性も向上した。
【図面の簡単な説明】
【０００９】
【図１】本件考案に係るミトン型防寒手袋の装着図である。
【図２】本件考案に係るミトン型防寒手袋の概略図である。
【符号の説明】
【０００１０】１，４指用ミトン袋部
２，カイロ収納部
３，手の平及び親指用ミトン袋部
【図１】
0003133543.tif 000003
【図２】
0003133543.tif 000004
【手続補正書】
【提出日】平成19年3月14日(2007.3.14)
【手続補正１】
【補正対象書類名】実用新案登録請求の範囲
【補正対象項目名】全文
【補正方法】変更
【補正の内容】
【実用新案登録請求の範囲】
【請求項１】
手の平と親指を除くところの人差し指、中指、薬指、小指の４指部がカイロ収納部を設けた厚手の被覆生地で形成され、親指部と手の平部が薄手の伸縮性被覆生地で形成されて一体となるミトン型防寒手袋
(57)【要約】      （修正有）【課題】装着・使用により思考力増進と健全化に資し、さらに安眠効果増進寄与を計る、改良したバンドであり、軽合金（アルミニュウム）の感触が違和感を与えるのと、野外使用に落雷誘発の危険を解消した、陶器小片（タイル）を媒体として使用する頭部冷却バンドを提供する。【解決手段】陶製タイルを接着剤の活用で構成する枕に載せて使用し、これが陶器製枕の欠点…堅さの改善にもなる枕用シート、冷却バンドは磁石・香料の活用も無限の可能性を有します。【選択図】図１
0003133542.tif 000002
【実用新案登録請求の範囲】
【請求項１】
頭部冷却の為に、適宜間隔に陶器小片（タイル）を基布面上に接着して構成した頭部を冷却するバンドである。基布は塩化ビニールフィルム又は布帛を使用する。
【請求項２】
「請求項１」を枕に載せて使用するように、幅を広げたシートである。
基布は同様に塩化ビニールフィルム又は布帛を使用する。
【請求項３】
「請求項１」、「請求項２」の各項に湿潤布を加えて、気化熱利用による冷却効果の増幅を期待するものである。
【請求項４】
「請求項１」、「請求項２」の各項に香料を使用して、沈静・疲労回復或るいは覚醒効果を期待しようとするものである。
【請求項５】
磁力の脳に対する影響は医学研究の進展にかかるが、微弱なマグネットでも医療効果の可能性あり、今後の期待は大なるものがある。
【考案の詳細な説明】
【技術分野】
【０００１】  本考案は頭部を冷却する為、江戸期の「養生訓」にもある古来からの伝承と、事に望んで向こう鉢巻きをして力を出した故事を現代版として、利用実現しょうとするものである。この為先に昭和初期の米エジソンバンドの改良・向上を計るも、軽合金の材質的違和感からか好まれず、この改善の為に陶器製に転換を計ったものである。
【背景技術】
【０００２】  その陶器成型製作が困難を極めた為、陶製タイルに着目したが強力接着剤使用により、活路を見出だした次第である。
【考案が解決しょうとした課題】
【０００３】  軽合金の材質的違和感と落雷誘発の危険、この欠陥２点の解消にある。
【考案の開示】
【課題を解決しょうとする手段】
【０００４】  陶製タイルえの転換が手段となった。
【考案の効果】
【０００５】  構造改善は適応性から意外な効果を示している。細分化されたタイルの皮膚面との接着の感触は良好であり、放熱冷却効果も感取される。更に湿潤布による水冷の採用は効果増大が期待されるが、濡らす・乾燥の簡単な反復、更に衛生保持の為にこれの適宜洗濯可能も特色である。
マグネットの導入は法律上の制約があるが、一部の医療機関で磁力が心身症治療に効力があると利用されている例もあり、今後の研究進展により導入が加速する可能性がある。投薬による治療の難点も指摘される折から、希望の持てるものは重要である。老人ぼけ、認知症、抑鬱症状等の改善に研究進展される事が切望される。
【０００６】  香料の利用も顕著な研究開発の進展により、単なる嗜好に止まらず種々研究成果があると言われているが、古来からの眠気覚ましに薄荷の利用もその嚆矢であり、香料の沈静・抑鬱・覚醒・興奮等その刺激作用はゆるがせには出来ないものがある。
【０００７】  意匠・デザインにより流行を創造する可能性を有する。
【図面の簡単な説明】
【０００８】
【図１】頭部冷却バンド全周型
【図２】タイルを複列貼付したビニールフィルムを頭部を覆い後頭部でゴム組を通して結んでバンドとして使用します調節可能です  頭部冷却バンド前後分離型  タイルを複列貼付したビニールフィルムを前額部と後頭部にわけてゴム組により連結し調節構成します  頭部冷却バンド簡易型  タイル複列貼付したビニールフィルム又は布帛を支持格子プラスチック枠で支える構造上温潤布（ガーゼ等）を挟むのが容易なので乾式使用と水冷式使用が簡単に切り換え可能なゴム組使用であり色採等顧慮で最も目立ち難いタイプです  頭部冷却シートは枕にのせて使用します
【図１】
0003133542.tif 000003
【図２】
0003133542.tif 000004
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
放熱効果に因る頭部冷却の為に、適宜間隔に陶器小片（タイル）を基布（塩化ビニールフィルム）面上に接着して構成した、前額部に装着して使用するバンドである。
【請求項２】
「請求項１」の基布に、気化による放熱効果増を期待して湿潤布をあてるバンドである。
【請求項３】
「請求項２」のバンド湿潤布に、沈静・疲労回復或いは覚醒効果を計る為に香料を加えて使用するバンドである。
【請求項４】
頭部冷却の為に、適宜間隔に陶器小片（タイル）を基布（塩化ビニールフィルム）面上に接着して構成した、枕に載せて使用するシートである。
【請求項５】
疲労回復の為に、「請求項４」のシートの脳に対する影響の無い、首筋・肩に膚接する延長部分に微弱な磁力の合成ゴム片を加えたシートである。
【手続補正２】
【補正対象書類名】図面
【補正対象項目名】図１
【補正方法】変更
【補正の内容】
【図１】
0003133542.tif 000005
(57)【要約】      （修正有）【課題】ブラインドそのものに，暖房・排熱効果を持たせることにより，高い省エネ効果を持たせる。【解決手段】ブラインドのスラットの上面に熱吸収性の高い塗装を施し，下面に反射性の高い塗装を施すことにより，冬はブラインドそのものを熱源として暖房効果を上げ，夏は排熱作用を持たせることができる。上記の塗装の効果を上げるため，断面がＵ字状となったスラットの凹面（熱吸収性の高い塗装を施した面）を上向き，凸面（反射性の高い塗装を施した面）を下向きに設置する。【選択図】図１
0003133544.tif 000002
【実用新案登録請求の範囲】
【請求項１】
スラットの上面に熱吸収性の高い塗装を施し，下面に反射性の高い塗装を施すことにより，冬はブラインドそのものを熱源として暖房効果を上げ，夏は排熱作用を持たせることができる省エネ用ブラインド。
【請求項２】
上記の塗装の効果を上げるため，断面がＵ字状となったスラットの凹面（熱吸収性の高い塗装を施した面）を上向き，凸面（反射性の高い塗装を施した面）を下向きに設置したブラインド。
【考案の詳細な説明】
【技術分野】
【０００１】  本考案は，窓際に設置したブラインドに遮光だけでなく，暖房・排熱の効果を持たせることにより，高い省エネ効果を上げるものである。
【背景技術】
【０００２】  従来のブラインドは採光や調光を目的として設置されており，暖房や排熱効果を持つものは存在しなかった。
【考案の開示】
【考案が解決しようとする課題】
【０００３】  冬は日光を吸収することによりブラインド自体を熱源として暖房効果を上げ，夏は日光を反射し室内の熱を排熱できるように，ブラインドのスラットの塗装や形状を工夫し，従来通りの採光や調光機能を有しながら，高い省エネ効果を持たせることを課題とする。
【課題を解決するための手段】
【０００４】  この課題を解決するための請求項１の考案は，スラットの上面に熱吸収性の高い塗装を施し，下面に反射性の高い塗装を施すことである。【０００５】  冬は，熱吸収性の高い塗装を施した面に十分に日光を当てるようにスラットの角度を調整することで，スラット自体が熱源となる。また，発熱したスラットの上面から発する遠赤外線をスラット下面で室内に反射させることにより，発生した熱を効率的に室内に拡散することができる。【０００６】  夏は，反射性の高い塗装を施した面を室外方向に向かせることで，日光を反射させ発熱を押さえる。また，フラップ上面が吸収した室内の熱をスラット下面が遠赤外線として屋外に反射させることにより，排熱効果を上げることができる。【０００７】  また，請求項２の考案は，上記塗装の効果を最大限に上げるためのスラットの向き・形状に関するものである。【０００８】  通常のブラインドでは，断面がＵ字状となったスラットの凸面を上向きにして設置するが，今回考案したブラインドでは，Ｕ字状となったスラットの凹面（熱吸収性の高い塗装を施した面）を上向きに設置する。これにより，凹面で吸収した熱を，凸面（反射性の高い塗装を施した面）で室内に拡散させることができ，冬季には，より効率的に暖房効果を上げることが可能となる。
以上の形状のブラインドを設置し窓際に対流を生じさせることにより，窓ガラス内側の結露を予防することもできる。
【考案の効果】
【０００９】  今回考案した形状のブラインドを設置することにより，高い省エネ効果を上げ，冷暖房に要する経費を節減することができる。また，製造過程においても，従来通りの手順・設備を大きく変更することなく製造することが可能であり，これまでのブラインドとさほど変わらない価格で提供することが可能である。
【考案を実施するための最良の形態】
【００１０】［図１］［図２］は，今回考案したブラインドの一部断面図である。
フラップは断面がＵ字状となっており，凹面が上，凸面が下になるように設置する。凹面には熱吸収性の高い塗装を施し，凸面には反射性が高い塗装を施す。フラップは通常の調光用ブラインドと同様に，２本の昇降コードで上げ下げし，角度調整ができるようにする。
【図面の簡単な説明】
【００１１】
【図１】図１は，考案したブラインドの冬季の使用状況を図式化したものである。室外から入ってきた日光は，熱吸収性の高い塗装が施されたスラット上面で吸収される。この時，スラット自体が発熱すると共に遠赤外線を発する。発生した遠赤外線は，一つ上に設置したスラットの下面に施された反射性の高い塗装により室内方向に投射される。また，ブラインドの発熱が窓際の空気に対流を生じるため，窓ガラス内側の結露を予防することもできる。
【００１２】
【図２】図２は，考案したブラインドの夏期の使用状況を図式化したものである。スラットの反射性の高い塗装が施された面を外側（太陽が当たる側）に向くよう角度を調整する。これにより，太陽熱によるブラインド自体や室内の温度上昇を抑えることができる。また，室内の熱源から発生した遠赤外線を凹面（熱吸収性の高い塗装を施した面）で吸収し，凸面（反射性の高い塗装を施した面）で室外に反射することにより，排熱効果も期待できる。
【図１】
0003133544.tif 000003
【図２】
0003133544.tif 000004
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
スラットの上面に熱吸収性の高い塗装を施し，下面に反射性の高い塗装を施すことにより，冬はブラインドそのものを熱源として暖房効果を上げ，夏は排熱作用を持たせることができる省エネ用ブラインド。
【請求項２】
スラットの上面に熱吸収性の高い塗装を施し，下面に反射性の高い塗装を施したブラインドの暖房及び排熱の効果をより上げるため，断面がＵ字状となったスラットの熱吸収性の高い塗装を施した凹面を上向き，反射性の高い塗装を施した凸面を下向きに設置したブラインド。
(57)【要約】【課題】素手で触れないような高温の食品・食器等を加熱器から容易に尚且つ安全に取り出せるハサミ型トングを提供する。【解決手段】ハサミ型トングのアーム部（２）を∩型にすることにより、円柱・角柱形さまざまな形の物も掴みやすく、またアーム部（２）を内側に弓状に反らすことで横から曲面を掴むこともできる。【選択図】図１
0003133545.tif 000002
【実用新案登録請求の範囲】
【請求項１】
ハサミ型トングにおいて、アーム部の片側それぞれを∩型のようなダブルの掴み部分にする。
【請求項２】
上記記載部分を、更に内側に弓状に反らす。
【考案の詳細な説明】
【技術分野】
【０００１】本考案は、高温で素手では持てない食品・食器等を移動する時に用いるトングに関するものである。
【背景技術】
【０００２】従来、湯のみのような筒状の物を上から挟めるトングはなかった。
【考案の開示】
【考案が解決しようとする課題】
【０００４】従来の物では、筒状の器を鍋やオーブン等の加熱器から取り出せる器具はなく困難した為である。
【課題を解決するための手段】
【０００５】本考案は、従来のトングの掴み部分のアーム部片側それぞれを∩型にすることより丸口・角口の器等を上から挟み易く、更にアーム部を内側に弓状に反らせることにより円柱等の曲面の物も横から掴み取り出し易くなる。
【考案の効果】
【０００６】物体に接する本数を多くすることにより四方から物を掴み支えより安定し物の落下を防ぎ、熱による火傷することなく安全に且つ容易に取り出せる。
（イ）．アーム部をダブルにする。
（ロ）．アーム部を内側に弓状に反らす。
【図面の簡単な説明】
【０００８】
【図１】正面図である。
【図２】側面図である。
【符号の説明】
１    持手部
２    アーム部
【図１】
0003133545.tif 000003
【図２】
0003133545.tif 000004
【手続補正書】
【提出日】平成19年4月5日(2007.4.5)
【手続補正１】
【補正対象書類名】実用新案登録請求の範囲
【補正対象項目名】全文
【補正方法】変更
【補正の内容】
【実用新案登録請求の範囲】
【請求項１】
ハサミ型トングにおいて、アーム部の片側それぞれを∩型のようなダブルの掴み部にしたハサミ型ダブルアームトング。
【請求項２】
上記記載アーム部∩型を更に内側に弓状に反らすことにより球体のような物でも掴みやすい特徴を持つ請求項１記載のハサミ型ダブルアームトング。
(57)【要約】      （修正有）【課題】金属を用いず、又、成形プラスチック固定ピンでもなく、金属探知器にも検知されず、廃棄においても紙として捨てられる固定ピンを用いたケーキ用台紙を提供する。【解決手段】ケーキ台紙１にＬ字状、又はＵ字状、又はＶ字状の切り込みＫを設け、この切り込みに台紙裏面より１枚の板紙から出来た固定ピンＰを中央から切り込み形状に合わせて山部より差し込み、固定ピンの足部を台紙裏面に接着固定する。【選択図】図４
0003133518.tif 000002
【実用新案登録請求の範囲】
【請求項１】
円形、四角形、長方形などの形状をした台紙にＬ字又はＵ字又はＶ字状の切り込みを入れ、台紙裏面から該切り込みに沿って、台紙から上に現れる部分を中央を山状に高くし、台紙裏面に残る部分を縦に２分割した足部を有する形状に１枚の板紙を切り抜いた固定ピンを差込み、台紙裏面側に残った固定ピンの足部を台紙に沿って折り曲げ、台紙裏面に接着固定する事を特徴とするケーキ固定台紙。
【考案の詳細な説明】
【技術分野】
【０００１】
本考案は、ケーキなどの生菓子類を箱に収納する時に用いるケーキを固定する台紙に関する。
【背景技術】
【０００２】
ケーキ等の生菓子類を収納する紙箱にあっては、持ち運び時、箱の中でケーキ等の生菓子類が動かないようにする事が大事である。特に大型のデコレーションケーキ等の収納運搬については、ケーキの固定は絶対条件となる。従来、対策として、図５に示す如くケーキを載せる台紙１１に金属製固定ピン１２を取り付けたものを使用時に金属ピンを立て（図６）、その状態で上からケーキを載せる（図７、点線で示すケーキが載った状態の斜視図）方法（特許文献１）又は成形プラスチック製固定ピン１３（図８）を台紙裏面から台紙の切り込みに差し込む（図９）方法（非特許文献１、２）等により、ケーキの底面中央部に固定ピンが突き刺さる事でケーキを台紙に固定してきた。しかし金属製固定ピンでは固定ピンを打ち付けた台紙（図５）を在庫として保存中に錆びる事があり使用時にはケーキ店などでチェックが必要とされ、又最近ではケーキを金属製固定ピンで台紙に固定した状態の箱で航空機に搭乗しようとし、金属探知器により検知されトラブルとなる問題が発生している。又、金属製固定ピンと共に、成形プラスチック製固定ピンでも家庭で箱が廃棄される時、自治体によっては台紙のどちらの固定ピンも台紙の紙との分別廃棄を求める事があり家庭での負担になっている。
【特許文献１】実用新案登録第３０８９３３０号
【非特許文献１】柳井紙工株式会社２００６−２００７通年カタログ１２頁・ロック                    ピン
【非特許文献２】株式会社パッケージ中澤２００４パッケージ中澤のケーキボックス                    カタログ
【考案の開示】
【考案が解決しようとする課題】
【０００３】
本考案が解決しようとしている課題は、金属を用いず、又、成形プラスチック固定ピンでもなく、金属探知器にも検知されず、廃棄においても紙として捨てられる固定ピンを用いたケーキ用台紙を提供することにある。
【課題を解決するための手段】
【０００４】
円形、四角形、長方形などの形状をした台紙にＬ字又はＵ字又はＶ字状の切り込みを入れ、台紙裏面から該切り込みに沿って、台紙から上に現れる部分を中央を山状に高くし、台紙裏面に残る部分を縦に２分割した足部を有する形状に１枚の板紙を切り抜いた固定ピンを差込み、台紙裏面側に残った固定ピンの足部を台紙に沿って折り曲げ、台紙裏面に接着固定するようにしたケーキ固定台紙とする。
【考案の効果】
【０００５】
課題解決手段による作用は次の通りである。即ち、１枚の板紙を切り抜いた固定ピンをＬ字又はＵ字又はＶ字状の台紙の切り込み形状に沿って山部から差し込むと、固定ピンの台紙上部に頭を出した山部は台紙の切り込み形状によって曲げられ、台紙裏面に残る２本の足を台紙裏面に接着固定すると、台紙上に固定ピンの山部を頂点とする直角又はそれに近い曲線を持つ固定ピン先端となり、板紙でも金属固定ピンや、成形プラスチック固定ピンに負けない強度を持った固定ピンが得られる。柔らかいケーキの底に突き刺す十分な強度とケーキ固定効果が得られる。
【考案を実施するための最良の形態】
【０００６】
以下、本考案の実施例を図面に基づいて詳述する。図１は本考案に用いる台紙の平面図である。中央にＬ字状に略直角２等辺の切り込みＫを入れてある。実線が切断してあり、台紙１裏面から固定ピンを差し込み易くするため、切り込みＫには折り筋２、３が入れてり、台紙裏面から後述する固定ピンを差し込むとこの折り筋から切り込み部が開く。勿論、折り筋部も含め打ち抜いてしまっても機能上は何ら問題ない。又、台紙１の周縁には折り筋４を伴った持ち手５が付けられている。図２は１枚の白板紙（坪量４５０g/m2）による固定ピン２の展開平面図である。台紙の上に突き出る部分としてセンターが高くなっており、中央には折り筋６、それに直交する足部折り筋７、足部は９、１０に８で切断されている。図３は固定ピンを折り筋６で直角に折り、足部９、１０も直角に折り重ねた状態を示す。図４は、この折り曲げた固定ピンの山部頂点から図１に示す台紙の切り込みに台紙裏面より差し込んだ状態を示す。台紙裏面の組み合わされた足部を片面タック紙で覆い固定する。裏面の足部の固定は、単にタック紙を貼るだけであるので、ここでは図示しない。
【０００７】
切り込みＫをＬ字、Ｕ字、Ｖ字状にするのは、金属や成形プラスチックの様な強度の得られないシート状の紙に固定ピンとしての強度を付与する目的であり、切り込みＫの形状はこの他にも十分考えられる事は論を待たない。固定ピンに用いる紙は耐水処理されている紙が望ましい事は言うまでもない。
【図面の簡単な説明】
【０００８】
【図１】台紙平面図
【図２】板紙固定ピン平面図
【図３】板紙固定ピン折り曲げ斜視図
【図４】板紙固定ピンを台紙に差し込んだ斜視図
【図５】金属固定ピンを装着した台紙斜視図
【図６】図５で固定ピン先端を起立した台紙斜視図
【図７】図６の状態でケーキを載せた台紙斜視図
【図８】成形プラスチック固定ピン斜視図
【図９】成形プラスチック固定ピンを台紙に差し込んだ斜視図
【符号の説明】
【０００９】
Ｋ              切り込み
Ｐ              板紙固定ピン
１              台紙
２、３、４      折り筋
５              持ち手
６、７          折り筋    
８              切断
９、１０        足部
１１            台紙
１２            金属固定ピン
１３            成形プラスチック固定ピン
１４            台紙
【図１】
0003133518.tif 000003
【図２】
0003133518.tif 000004
【図３】
0003133518.tif 000005
【図４】
0003133518.tif 000006
【図５】
0003133518.tif 000007
【図６】
0003133518.tif 000008
【図７】
0003133518.tif 000009
【図８】
0003133518.tif 000010
【図９】
0003133518.tif 000011
(57)【要約】      （修正有）【課題】ゴミ袋の取り扱いを簡単にするため、ゴミ袋の寸法に合わせて固定できるようにしたゴミ袋固定箱に関する。どんなゴミ袋でも適用できるが、特に市販されている市町村自治体で収集する業務用、家庭用、産業用ゴミを収集するための特定のゴミ袋の寸法に合ったゴミ箱を提供する。【解決手段】ゴミ袋を固定するゴミ袋固定箱本体１はゴミ袋固定箱の取っ手３、３’にゴミ袋の取っ手７、７’を固定し、ゴミ袋固定箱の接着部４’にゴミ袋の結びしろ８’を接着して固定し、ゴミ袋の底をゴミ箱の底まで押し広げる。又、ゴミ袋固定箱の細溝部を使った場合には、ゴミ袋の結びしろ８’の先端をねじり、ゴミ袋固定箱の細溝部に挟み込み固定する。 【選択図】図１
0003133502.tif 000002
【実用新案登録請求の範囲】
【請求項１】
ゴミ袋を開いて固定できるように、ゴミ箱の上部に、取っ手と接着部を取り付けたゴミ袋固定箱。
【請求項２】
ゴミ袋を開いて固定できるように、ゴミ箱の上部に、取っ手と細溝部を取り付けたゴミ袋固定箱。
【考案の詳細な説明】
【技術分野】
【０００１】
本考案はゴミ箱に関する内容で、ゴミ袋の扱い方を簡単にするためのものである。
【背景技術】
【０００２】
一般に今おこなわれているのはゴミ袋を利用可能な容器等、又は一般のゴミ箱に入れることで固定している。
【考案の開示】
【考案が解決しようとする課題】
【０００３】
本考案はゴミ袋に合わせてゴミ箱を作り、固定しやすく、入れやすくするための内容である。最近はリサイクル推進の為、多くのゴミ箱を用意し分別しなければならない。市町村自治体によって異なるが、当自治体では燃えるゴミ1種類と、燃えないゴミ４種類と、合わせて5種類のゴミを分別することになっている。収集するゴミ袋の扱い方は、家庭や職場で様々である。利用可能な容器にゴミ袋を入れているのが一番多い実施例と見えるが、そのまま入れにくいゴミ袋に直接入れているのも現状である。又別なゴミ箱に一旦入れて、それを収集袋に入れ替えることも多く実施されている。扱いにくいゴミ袋をゴミ箱にセットするのは大きさが違えば困難である。又ゴミ袋の入り口を固定しないため、入れにくいことが多い。多くのゴミ袋を扱う現在、又確かな分別を推進するためにも、ゴミ袋やゴミ箱の扱い方を簡単にし、やりやすい環境をつくっていく必要がある。
【課題を解決するための手段】
【０００４】
図５で示す様に、ゴミ袋固定箱１にはゴミ袋固定箱の取っ手３、３’とゴミ袋固定箱の接着部４、４’を付けてある。図４の様にゴミ袋６には、ゴミ袋の取っ手７、７’とゴミ袋の結びしろ８，８’が付いている。図１示す様に、ゴミ袋固定箱の取っ手３、３’にゴミ袋の取っ手７、７’を引っ掛けてから、ゴミ袋固定箱の接着部４、４’にゴミ袋の結びしろ８，８’を接着し固定してから、ゴミ袋の底をゴミ袋固定箱の底まで押し広げる。又図６に示す様に、ゴミ袋固定箱の細溝部５、５’を使った場合には、図７に示す様にゴミ袋の結びしろ８，８’の先端をねじり、ゴミ袋固定箱の細溝部５、５’に挟み込み固定する。又分別をやりやすくするために、図３のゴミ袋固定箱の蓋や、図５や図６の様にゴミ袋固定箱本体に、分別する内容の文字入れたり、蓋やゴミ袋固定箱本体を透明または半透明の樹脂を使い、外からゴミ袋固定箱の中を判別することもできる。又ゴミ袋固定箱の蓋を開けずにゴミを入れられることのできる、シーソー状の中蓋を付け加えることもできる。
【考案の効果】
【０００５】
この内容でゴミ袋を簡単に固定することができ、又きれいにゴミ袋を広げることができる。自治体で収集する最終処分に出すゴミ袋を、使いよい状態にすることでゴミ集めの手間が省ける。このゴミ袋固定箱は、スーパー等で使用しているレジ袋でも、ほぼ寸法が合う場合は同様の効果で使用することができる。ゴミ袋固定箱を使用することで、扱い困難なゴミ袋を使用しやすくし、ゴミのリサイクル推進に寄与すると考えられる。
【考案を実施するための最良の形態】
【０００６】
この考案を実施するための最良の方法は、金型を作り、プラスチック成形することである。この成形品に、両面テープ等で接着部をつける。又細溝部を使用する場合は、成形品に細溝部の形状をつくる。又、図１のゴミ袋固定箱本体を、この断面上で合体できるように、合体部にツメを付けた成形品をつくり、同じ成形品２個を合わせて組み立て、接着部に両面テープを貼ることでゴミ袋固定箱を作ることができる。又金属や木材やダンボール紙でも作ることができる。
【産業上の利用可能性】
【０００７】
本考案に係るゴミ袋固定箱は、工業的に量産する事が可能であるため、産業上の利用可能性を有する。
【図面の簡単な説明】
【０００８】
【図１】ゴミ袋を固定したゴミ袋固定箱の正断面図
【図２】ゴミ袋を固定したゴミ袋固定箱の平面図
【図３】ゴミ袋固定箱の蓋の斜視図
【図４】市販されているゴミ袋の斜視図
【図５】ゴミ袋固定箱本体の斜視図
【図６】細溝部を利用したゴミ袋固定箱の斜視図
【図７】細溝部の拡大図とゴミ袋の結びしろの先端にねじりをした図
【符号の説明】
【０００９】
１      ゴミ袋固定箱本体
２      ゴミ袋固定箱の蓋
３、３’ゴミ袋固定箱の取っ手
４、４’ゴミ袋固定箱の接着部
５、５’ゴミ袋固定箱の細溝部
６、    ゴミ袋
７、７’ゴミ袋の取っ手
８、８’ゴミ袋の結びしろ
【図１】
0003133502.tif 000003
【図２】
0003133502.tif 000004
【図３】
0003133502.tif 000005
【図４】
0003133502.tif 000006
【図５】
0003133502.tif 000007
【図６】
0003133502.tif 000008
【図７】
0003133502.tif 000009